(57)【要約】      （修正有）【課題】細粒原料を炉頂バンカーの炉体中心側内側壁直近に装入することができ、堆積原料の偏析効果に優れる高炉炉頂バンカーを提供する。【解決手段】高炉内に原料を装入するために該高炉の炉頂部分に配設される並列型炉頂バンカー２，２’であって、この炉頂バンカー２，２’内の上部に、偏心漏斗状の偏析誘導筒１０を配設した、また、前記偏析誘導筒１０は、すり鉢状本体の下面に偏心した筒口１０ａを有する、高炉用炉頂バンカー。【選択図】図２
2012132056.tif 000002
【特許請求の範囲】
【請求項１】
高炉内に原料を装入するために該高炉の炉頂部分に配設される並列型炉頂バンカーであって、
この炉頂バンカー内の上部に、偏心漏斗状の偏析誘導筒を配設したことを特徴とする高炉用炉頂バンカー。
【請求項２】
前記偏析誘導筒は、すり鉢状本体の下面に偏心した筒口を有するものであることを特徴とする請求項１に記載の高炉用炉頂バンカー。
【請求項３】
前記偏析誘導筒の筒口は、高炉炉体の中心寄りとなる炉頂バンカーの内側壁面に沿った位置に偏心していることを特徴とする請求項１または２に記載の高炉用炉頂バンカー。
【発明の詳細な説明】
【技術分野】
【０００１】
本発明は、高炉の炉頂に配設される原料装入用炉頂バンカーに関するものである。
【背景技術】
【０００２】
近年、高炉操業は、炉内に装入する原料の粒度分布を適切に制御して、炉内を上昇する反応ガスの炉半径方向での流量分布を調整し、炉内における通気性や原料の還元および炉体の熱負荷等を所望の状態となるようにしている。例えば、反応ガスについては、これが炉中心部に多く流れるような操業をすることが望ましいとされている。
【０００３】
このようなガス流分布は、主に、高炉内に形成される鉱石層とコークス層の厚み比や、これらの装入時に調整される炉半径方向での粒度分布によって決定される。特に、旋回シュートを備え、並列型炉頂バンカーを配置してなるベルレス型炉頂装入装置を用いる場合、該バンカー内に原料を装入すると、その原料は堆積斜面上で分級され、粒径による偏在が生じる。つまり、該炉頂バンカー内の中心部に落下した原料は、粗粒が落下位置から離れた壁面側に移動するので、細粒が落下位置である中心部に、粗粒がバンカーの周辺部に偏析して堆積するようになる。このような堆積状態にある原料を、高炉内へ装入する場合、炉頂バンカーから下方に配置した旋回シュートを使って払い出す時に、まず先に細粒が、そしてその後に粗粒原料が出ていくことになる。
【０００４】
この点、現在の高炉操業では、高炉内に原料を装入する際、旋回シュートの動きをそれの先端部が高炉の外周側から炉中心の方向に移動（傾動）させながら旋回させているので、炉頂バンカーからの原料排出挙動と相俟って、高炉の炉壁側に細粒、中心部に粗粒、その中間に中粒の原料が堆積するようになる。従って、この場合、高炉内には中心流の発達したガス流分布が形成されるようになり、好都合である。
【０００５】
前述した作用効果をより確実に実現するため、従来、特許文献１に開示されたような炉頂バンカーが提案されている。この技術は、該炉頂バンカー内に原料を落下装入して堆積させる際に、図１に示すように、該炉頂バンカー２内上部に水平軸回りに揺動可能な偏析制御板９を設け、該炉頂バンカーへ装入される原料を該偏析制御板９へ衝突させてその落下方向を変更し、該炉頂バンカー内に堆積する原料の粗粒・細粒を偏析させ、粒度別に払い出す順に堆積させる構造の炉頂バンカーである。
【先行技術文献】
【特許文献】
【０００６】
【特許文献１】特開２００８−１７９８９９号公報
【発明の概要】
【発明が解決しようとする課題】
【０００７】
しかしながら、特許文献１に開示されているような、水平軸回りに回転（揺動）可能な偏析制御板９を設置してなるものでは、その揺動時にその制御板の端部がバンカー内壁と干渉（衝突）するおそれがある。そのため、該偏析制御板９は、長さが規制されている。その結果、この偏析制御板９の端部とバンカー内壁面との間には一定の隙間（約１ｍ程度）が生じ、原料を最も有利な原料落下位置である高炉炉体中心側の壁寄りの位置（バンカー内壁直近）にまで装入することができず、原料偏析効果に限界が生じるという問題点があった。
【０００８】
そこで、本発明の目的は、従来技術が抱えている上記のような問題点に着目してなされたものであり、原料、特に細粒原料を炉頂バンカーの炉体中心側内側壁直近に装入することができ、堆積原料の偏析効果に優れる高炉炉頂バンカーを提供することにある。
【課題を解決するための手段】
【０００９】
上記目的を実現するために、鋭意検討を重ねた結果、発明者らは、高炉内に原料を装入するために該高炉の炉頂部分に配設される並列型炉頂バンカーであって、
この炉頂バンカー内の上部に、偏心漏斗状の偏析誘導筒を配設したことを特徴とする高炉用炉頂バンカーが有効であることを突き止めた。
【００１０】
なお、本発明においては、
（１）前記偏析誘導筒は、すり鉢状本体の下面に偏心した筒口を有するものであること、
（２）前記偏析誘導筒の筒口は、高炉炉体の中心寄りとなる炉頂バンカーの内側壁面に沿った位置に偏心していること、
が、より好ましい構成である。
【発明の効果】
【００１１】
前記のような構成を有する本発明によれば、バンカーの内壁に干渉する恐れのない偏析誘導筒を採用することで、装入原料落下口を、炉体中心寄り内壁面近くに配設することができ、これにより装入原料の偏析効果を高めることができ、ひいては高炉のコークス比の削減などに寄与できる。
【図面の簡単な説明】
【００１２】
【図１】バンカー内に原料の偏析装入を果すための偏析制御板を配置した従来の炉頂バンカーの略線図である。
【図２】バンカー内に原料の偏析装入を果すための偏析制御板を配置した本発明の炉頂バンカーの略線図である。
【図３】原料の偏析装入を果すための本発明に適合するように構成された高炉炉頂バンカーの一例を示す略線図である。
【図４】本発明に係る炉頂バンカーを使って高炉内に原料を装入するときの模式図である。
【発明を実施するための形態】
【００１３】
次に、本発明の高炉炉頂バンカー原料偏析装置の一実施形態について図面を参照しながら説明する。
図１、図２は、ベルレス形式の高炉の炉頂設備を示す図である。図示の設備例は、高炉１の炉頂部上方に２基一対の並列型炉頂バンカー２、２’が配設されている。これらの炉頂バンカー２、２’は、それぞれ高炉１内に装入する原料３を一時的に貯留するためのものである。その原料３としては、コークスや鉄鉱石が挙げられる。その炉頂バンカー２、２’の下端部にはそれぞれ切出しゲート４、４’が設けられており、この切出しゲート４、４’を開くことで、バンカー内原料３が順次に切出される。その切出しゲート４、４’の下方には垂直シュート５が配設されており、さらにその下方には、高炉１の炉頂内部にある旋回シュート６が位置しており、この旋回シュート６を旋回させることで、落下する原料３を高炉の炉内に分配装入することができる。なお、図示の７，８は、上部・下部のシール弁である。
【００１４】
ところで、これらの図のうち、図１は従来設備例を示しており、図２は、本発明適合例である炉頂バンカー２、２’を示している。
【００１５】
従来例である図１に示す炉頂バンカー２、２’は上述したように、該バンカー２、２’内上部に水平軸回りに揺動する偏析制御板９を軸支してなるものである。一方、本発明適合例の炉頂バンカー２、２’は、該バンカー２、２’内の上部に、従来の前記偏析制御板９に代わる偏析誘導筒１０を配設してなるものである。
【００１６】
本発明である炉頂バンカー２、２’内に配設された前記偏析誘導筒１０とは、図示したとおり、基本的には漏斗形状であるものの、筒口が偏心した位置にある偏心漏斗状のものである。即ち、すり鉢状の本体下面の偏心位置に、焼結鉱やコークスなどの原料３の落下口となる筒状の筒口１０ａを有するものである。
【００１７】
この筒口１０ａの偏心位置は、図３に示すように、並列型炉頂バンカー２の場合、高炉炉体中心側に位置するバンカー内側壁面に沿った位置に突出した形を呈していて、所謂、通常の漏斗とは異なり、落下原料３は、本体中心部からではなく上記の偏心した位置から落下するようになっている。
【００１８】
このような構造の偏析誘導筒１０を使うと、例えば、原料３を上方から該炉頂バンカー２内に装入すると、その全ては該偏析誘導筒１０の本体部分に供給される。その原料３は、該偏析誘導筒１０の斜面１０ｂを滑落しながら筒口１０ａを経て原料堆積層上に落下する。このとき、細かい原料３は、その筒口１０ａ直下（高炉炉体中心寄りの位置）に堆積するものの、粗い原料３は所定の安息角をもつ装入物堆積層の斜面に沿って流動し、その大きさに応じて、該炉頂バンカー２の外周寄りの位置、即ち、高炉炉体の外周寄りの位置に流れて堆積する。
【００１９】
図４は、本発明に係る炉頂バンカー２を使って、高炉内に原料を装入するときの炉頂バンカー２内原料堆積状態を示す模式図であって、該炉頂バンカー２内における原料偏析効果を説明する図である。この図に示すように、原料３を本発明の前記偏析誘導筒１０の筒口１０ａを通じて炉頂バンカー２内に落下装入すると、原料３はまず山状に堆積しようとする。この山状に堆積するとき、原料は固有の安息角をもって斜面を形成する。例えば、原料３に種々の粒度が混在する場合、粒度の大きな原料３は、山状堆積状態の斜面に沿って転落し、粒度の小さな原料３は、そのまま山状堆積状態の頂部に留まる。これがパーコレーションと呼ばれる原料偏析効果である。パーコレーションは、山状堆積状態の斜面の角度が大きく、その長さが長いほど、大きな効果になることが知られている。
【００２０】
ここで図４の場合、粒度の大きな原料３は、滑落して斜面下側に集積し、粒度の小さな原料３はバンカー内側壁面（高炉炉体中心寄りの位置）に集積して堆積する。
【００２１】
このような炉頂バンカー内堆積状態にある原料３を、高炉内頂部に落下装入を開始させると、まず、図４（ａ）に示すように、粒度の小さな原料３が最初に落下し、次いで、図４（ｂ）、（ｃ）に示すように、粒度が中程度である原料３が順次に落下していき、最後に、図４（ｄ）に示すように粒度の大きな原料３が落下する。
【００２２】
このような炉頂バンカー２、２’からの落下原料を、垂直シュート５を介して高炉の炉頂内の旋回シュート６上に落下装入するとき、とくにこの旋回シュート６の先端部を高炉の炉壁（外周側）から炉中心に移動、旋回させて原料の装入を行う場合、該炉頂バンカー２、２’からの前述の原料排出挙動と相俟って、高炉の炉壁側に細粒、中心部に粗粒、その中間に中粒の原料がそれぞれ堆積するようになるので、高炉内に中心流の発達したガス流分布となりやすくなる。
【００２３】
即ち、前記旋回シュート６の先端を高炉の外周側から炉中心の方向に順次に移動させ乍ら旋回させると、上述したように、最初に落下装入される細粒原料３が高炉内壁面側に装入され、その後、次第に粒径の大きくなる原料が、すり鉢状堆積層の底部である高炉中心寄りの位置に堆積する。その結果、本発明の炉頂バンカーによれば、高炉内には、中心流の発達したガス流分布が形成され、炉内反応効率の上昇をもたらして、安定した高炉の操業の確保とコークス比の低減をもたらす。
【産業上の利用可能性】
【００２４】
本発明の技術は、ベルレス高炉の２基並列型炉頂バンカーを対象として説明しているが、３以上複数基の炉頂バンカー設備の例においても同様に適用が可能である。
【符号の説明】
【００２５】
１  高炉
２、２’  炉頂バンカー
３  原料
４、４’  切出しゲート
５  垂直シュート
６  旋回シュート
７、８  上部・下部シール弁
９  偏析制御板（従来例）
１０  偏析誘導筒
１０ａ  筒口
１０ｂ  斜面
【図１】
2012132056.tif 000003
【図２】
2012132056.tif 000004
【図３】
2012132056.tif 000005
【図４】
2012132056.tif 000006